(57)【要約】    【課題】      各通信システム内の通信端末装置の内線番号を直接指定するサブアドレス番号体系を適用し、発呼側通信システム及び着呼側通信システムにおいて通信端末装置のサブアドレス番号を認識して呼接続処理を可能とする電話主装置及び呼接続方法を提供すること。    【解決手段】  ＩＰ電話システム１００では、各ビジネスホン主装置ＭＡ及びＭＢのみに契約番号を設定し、各電話機Ａ１，Ａ２及びＢ１，Ｂ２には内線番号のみを設定した。ビジネスホン主装置ＭＡ及びＭＢは、発信時は、電話機Ａ１，Ａ２及びＢ１，Ｂ２からダイヤル入力される着信先番号から契約番号とサブアドレス情報を判断して、ＳＩＰプロトコルの「ＩＮＶＩＴＥ」メッセージを編集して着信先に送信し、着信時は、「ＩＮＶＩＴＥ」メッセージに含まれる着信先のサブアドレス情報を判断して配下の電話機Ａ１，Ａ２及びＢ１，Ｂ２への着信処理を実行する。  【選択図】      図１
2006270801.tif 000002
【特許請求の範囲】
【請求項１】
通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、
前記通信端末装置から前記発呼要求とともに着呼側の電話主装置の契約番号と着呼先通信端末装置のサブアドレスを受信する端末インターフェース部と、
前記端末インターフェース部により受信した前記契約番号と前記サブアドレスをＳＩＰプロトコルを拡張した呼接続要求コマンドに設定する番号編集部と、
前記ＩＰネットワークを介して前記呼接続要求コマンドを前記着呼側の電話主装置に送信するネットワークインターフェース部と、
を備えることを特徴とする電話主装置。
【請求項２】
通信システム内に設置され、ＩＰネットワークを介して他の通信システム内に設置された発呼側の電話主装置から呼接続要求コマンドを受信して、前記通信システム内に設置された通信端末装置に対して着呼処理を実行する電話主装置であって、
前記ＩＰネットワークを介して前記発呼側の電話主装置からＳＩＰプロトコルを拡張した呼接続要求コマンドを受信するネットワークインターフェース部と、
前記呼接続要求コマンドに設定された自装置の契約番号と着呼先通信端末のサブアドレスを認識する着信先認識部と、
前記着信先認識部により認識したサブアドレスの着信先通信端末装置に対して着呼信号を送信する端末インターフェース部と、
を備えることを特徴とする電話主装置。
【請求項３】
通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、
前記通信端末装置から前記発呼要求とともに着呼側の電話主装置の契約番号と着呼先通信端末装置のサブアドレスを受信する端末インターフェース部と、
前記端末インターフェース部により受信した前記契約番号をＳＩＰプロトコルのＩＮＶＩＴＥメッセージに設定し、前記サブアドレスを別のプロトコルのメッセージに設定する番号編集部と、
前記ＩＰネットワークを介して前記ＩＮＶＩＴＥメッセージを前記着呼側の電話主装置に送信し、続いて、前記別のプロトコルのメッセージを前記着呼側の電話主装置に送信するネットワークインターフェース部と、
を備えることを特徴とする電話主装置。
【請求項４】
通信システム内に設置され、ＩＰネットワークを介して他の通信システム内に設置された発呼側の電話主装置から呼接続要求コマンドを受信して、前記通信システム内に設置された通信端末装置に対して着呼処理を実行する電話主装置であって、
前記ＩＰネットワークを介して前記発呼側の電話主装置からＩＮＶＩＴＥメッセージを受信し、続いて、前記発呼側の電話主装置から別のプロトコルのメッセージを受信するネットワークインターフェース部と、
前記ＩＮＶＩＴＥメッセージに設定された自装置の契約番号を認識し、続いて、前記別のプロトコルのメッセージに設定された着呼先通信端末のサブアドレスを認識する着信先認識部と、
前記着信先認識部により認識したサブアドレスの着信先通信端末装置に対して着呼信号を送信する端末インターフェース部と、
を備えることを特徴とする電話主装置。
【請求項５】
通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、
前記着呼側の電話主装置の契約番号と当該装置に属する通信端末装置のサブアドレスとの対応情報を記憶する記憶部と、
前記通信端末装置から前記発呼要求とともに着呼先通信端末装置のサブアドレスを受信する端末インターフェース部と、
前記端末インターフェース部により受信したサブアドレスに対応する契約番号を前記記憶部から検索し、検索した契約番号と前記サブアドレスをＳＩＰプロトコルを拡張した呼接続要求コマンドに設定する番号編集部と、
前記ＩＰネットワークを介して前記呼接続要求コマンドを前記着呼側の電話主装置に送信するネットワークインターフェース部と、
を備えることを特徴とする電話主装置。
【請求項６】
前記番号編集部は、検索した前記契約番号と前記サブアドレスをＩＮＶＩＴＥメッセージに設定し、
前記ネットワークインターフェース部は、前記ＩＰネットワークを介して前記ＩＮＶＩＴＥメッセージを前記着呼側の電話主装置に送信することを特徴とする請求項５記載の電話主装置。
【請求項７】
通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、
前記着呼側の電話主装置の契約番号と当該装置に属する通信端末装置のサブアドレスとの対応情報を記憶する記憶部と、
前記通信端末装置から前記発呼要求とともに着呼先通信端末装置のサブアドレスを受信する端末インターフェース部と、
前記端末インターフェース部により受信したサブアドレスに対応する契約番号を前記記憶部から検索し、検索した契約番号をＳＩＰプロトコルのＩＮＶＩＴＥメッセージに設定し、前記サブアドレスを別のプロトコルのメッセージに設定する番号編集部と、
前記ＩＰネットワークを介して前記ＩＮＶＩＴＥメッセージを前記着呼側の電話主装置に送信し、続いて、前記別のプロトコルのメッセージを前記着呼側の電話主装置に送信するネットワークインターフェース部と、
を備えることを特徴とする電話主装置。
【請求項８】
前記記憶部は、前記契約番号と前記サブアドレスの先頭番号との対応情報を記憶し、
前記番号編集部は、前記端末インターフェース部により受信したサブアドレスの先頭番号に対応する契約番号を前記記憶部から検索することを特徴とする請求項５または請求項７記載の電話主装置。
【請求項９】
前記記憶部は、前記契約番号と前記サブアドレスと当該サブアドレスの先頭から指定桁数までの番号との対応情報を記憶し、
前記番号編集部は、前記端末インターフェース部により受信したサブアドレスの前記先頭から指定桁数までの番号に対応する契約番号を前記記憶部から検索することを特徴とする請求項５または請求項７記載の電話主装置。
【請求項１０】
前記記憶部は、前記通信システム内の発呼側通信端末装置毎に前記契約番号と前記サブアドレスの先頭番号との対応情報をテーブルとして記憶し、
前記番号編集部は、前記端末インターフェース部により前記サブアドレスを受信した発呼側通信端末装置が属するテーブルから当該サブアドレスの先頭番号に対応する契約番号を検索することを特徴とする請求項５または請求項７記載の電話主装置。
【請求項１１】
前記記憶部は、前記通信システム内の発呼側通信端末装置毎に前記契約番号と前記サブアドレスの先頭から指定桁数までの番号との対応情報をテーブルとして記憶し、
前記番号編集部は、前記端末インターフェース部により前記サブアドレスを受信した発呼側通信端末装置が属するテーブルから当該サブアドレスの前記先頭から指定桁数までの番号に対応する契約番号を検索することを特徴とする請求項５または請求項７記載の電話主装置。
【請求項１２】
通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置の呼接続方法であって、
前記通信端末装置から前記発呼要求とともに着呼先通信端末装置のサブアドレスを受信するステップと、
前記受信したサブアドレスに対応する契約番号を記憶部から検索し、検索した契約番号と前記サブアドレスをＳＩＰプロトコルを拡張した呼接続要求コマンドに設定するステップと、
前記ＩＰネットワークを介して前記呼接続要求コマンドを前記着呼側の電話主装置に送信するステップと、
を備えることを特徴とする呼接続方法。
【請求項１３】
通信システム内に設置され、ＩＰネットワークを介して他の通信システム内に設置された発呼側の電話主装置から呼接続要求コマンドを受信して、前記通信システム内に設置された通信端末装置に対して着呼処理を実行する電話主装置の呼接続方法であって、
前記ＩＰネットワークを介して前記発呼側の電話主装置からＳＩＰプロトコルを拡張した呼接続要求コマンドを受信するステップと、
前記呼接続要求コマンドに設定された自装置の契約番号と着呼先通信端末のサブアドレスを認識するステップと、
前記着信先認識部により認識したサブアドレスの着信先通信端末装置に対して着呼信号を送信するステップと、
を備えることを特徴とする呼接続方法。
【発明の詳細な説明】
【技術分野】
【０００１】
本発明は、通信システム内に設置されるビジネスホン等に用いられる電話主装置及び呼接続方法に関し、特に、ＩＰネットワークを介して接続される通信システム内に設置される通信端末装置に対する発着信を制御する電話主装置及び呼接続方法に関する。
【背景技術】
【０００２】
従来、ＩＰネットワークを介して接続された複数の通信システムにおいて、通信を行うために自システム内の電話機から他システム内の電話機への接続要求を行う場合、接続先の他システム内の電話機がユニークに１つずつ持つ接続番号（ＳＩＰ  ＵＲＩ等：日本では０５０番と呼ばれる電話番号）を簡略化することなく、発信側の電話機からそのまま電話番号を入力して接続していた。このような通信システム間の電話接続方式は、ＲＦＣにて基準化されている。
【０００３】
例えば、図１４に示すＩＰ電話システム１４００は、モデムＭ１，Ｍ２を介してＩＰ網に接続された拠点Ａのビジネスホン主装置ＭＡと拠点Ｂのビジネスホン主装置ＭＢが接続され、ビジネスホン主装置ＭＡには電話端末Ａ１（内線番号：１０、契約番号：０５０−１２３−１０００）、Ａ２（内線番号：１１、契約番号：０５０−１２３−１００１）が接続され、ビジネスホン主装置ＭＢには電話端末Ｂ１（内線番号：２０、契約番号：０５０−４５６−２０００）、Ｂ２（内線番号：２１、契約番号：０５０−４５６−２００１）が接続されている。
【０００４】
このＩＰ電話システム１４００において、電話端末Ａ１から電話端末Ｂ１に呼接続する場合、電話端末Ａ１では契約番号「０５０−４５６−２０００」を入力し、ビジネスホン主装置ＭＢでは、番号「０５０−４５６−２０００」で着信したことを認識して電話端末Ｂ１に着信させる。
【０００５】
また、通信業者が提供する各種通信機器（交換機、ＷＡＮ機器、ＬＡＮ機器、構内電話機、一般加入電話機）を用いて仮想構内交換装置を構成し、一般加入電話機及び構内電話機を同一構内の内線電話機として音声通話及び各種内線サービスを提供する提案（例えば、特許文献１参照）もある。
【特許文献１】特開２００２−３５４１１６号公報
【発明の開示】
【発明が解決しようとする課題】
【０００６】
しかしながら、上記ＩＰネットワークを介して複数の拠点が接続されたＩＰ電話システムにおいて、ＲＦＣにて基準化された電話接続方式では、接続先の他システム内の電話機がユニークに１つずつ契約番号を持つ必要があったため、システム内に接続される電話機が多くなるほど、必要な契約番号も多くなり、契約番号の契約数が多くなって、通信システムの運用コストが上昇する。
【０００７】
また、発信側電話機から電話接続を行う場合は、簡略化することなく電話番号を入力する必要があり、入力操作が面倒である。また、上記仮想構内交換装置においても、上記の問題は発生する。
【０００８】
本発明は以上のような実情に鑑みてなされたもので、各通信システム内の通信端末装置の内線番号を直接指定するサブアドレス番号体系を適用し、発呼側通信システム及び着呼側通信システムにおいて通信端末装置のサブアドレス番号を認識して呼接続処理を可能とする電話主装置及び呼接続方法を提供することを目的とする。
【課題を解決するための手段】
【０００９】
本発明は、通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、前記通信端末装置から前記発呼要求とともに着呼側の電話主装置の契約番号と着呼先通信端末装置のサブアドレスを受信する端末インターフェース部と、前記端末インターフェース部により受信した前記契約番号と前記サブアドレスをＳＩＰプロトコルを拡張した呼接続要求コマンドに設定する番号編集部と、前記ＩＰネットワークを介して前記呼接続要求コマンドを前記着呼側の電話主装置に送信するネットワークインターフェース部と、を備える構成を採る。
【発明の効果】
【００１０】
本発明によれば、契約番号は電話主装置に設定するだけでよくなり、通信端末装置には契約番号を設定する必要がなくなるため、通信システムの運用コストを低減することができる。
【発明を実施するための最良の形態】
【００１１】
本発明の第１の態様は、通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、前記通信端末装置から前記発呼要求とともに着呼側の電話主装置の契約番号と着呼先通信端末装置のサブアドレスを受信する端末インターフェース部と、前記端末インターフェース部により受信した前記契約番号と前記サブアドレスをＳＩＰプロトコルを拡張した呼接続要求コマンドに設定する番号編集部と、前記ＩＰネットワークを介して前記呼接続要求コマンドを前記着呼側の電話主装置に送信するネットワークインターフェース部と、を備える構成を採る。
【００１２】
この構成によれば、契約番号は主装置に設定するだけでよくなり、通信端末装置には契約番号を設定する必要がなくなるため、通信システムの運用コストを低減することができる。
【００１３】
本発明の第２の態様は、通信システム内に設置され、ＩＰネットワークを介して他の通信システム内に設置された発呼側の電話主装置から呼接続要求コマンドを受信して、前記通信システム内に設置された通信端末装置に対して着呼処理を実行する電話主装置であって、前記ＩＰネットワークを介して前記発呼側の電話主装置からＳＩＰプロトコルを拡張した呼接続要求コマンドを受信するネットワークインターフェース部と、前記呼接続要求コマンドに設定された自装置の契約番号と着呼先通信端末のサブアドレスを認識する着信先認識部と、前記着信先認識部により認識したサブアドレスの着信先通信端末装置に対して着呼信号を送信する端末インターフェース部と、を備える構成を採る。
【００１４】
この構成によれば、契約番号は主装置に設定するだけでよくなり、通信端末装置には契約番号を設定する必要がなくなるため、通信システムの運用コストを低減することができる。
【００１５】
本発明の第３の態様は、通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、前記通信端末装置から前記発呼要求とともに着呼側の電話主装置の契約番号と着呼先通信端末装置のサブアドレスを受信する端末インターフェース部と、前記端末インターフェース部により受信した前記契約番号をＳＩＰプロトコルのＩＮＶＩＴＥメッセージに設定し、前記サブアドレスを別のプロトコルのメッセージに設定する番号編集部と、前記ＩＰネットワークを介して前記ＩＮＶＩＴＥメッセージを前記着呼側の電話主装置に送信し、続いて、前記別のプロトコルのメッセージを前記着呼側の電話主装置に送信するネットワークインターフェース部と、を備える構成を採る。
【００１６】
この構成によれば、別のプロトコルとして、例えば、Ｔｅｌｎｅｔセッション等の無料で利用可能なプロトコルによりサブアドレスを送信することができ、システムの運用コストを低減することができる。
【００１７】
本発明の第４の態様は、通信システム内に設置され、ＩＰネットワークを介して他の通信システム内に設置された発呼側の電話主装置から呼接続要求コマンドを受信して、前記通信システム内に設置された通信端末装置に対して着呼処理を実行する電話主装置であって、前記ＩＰネットワークを介して前記発呼側の電話主装置からＩＮＶＩＴＥメッセージを受信し、続いて、前記発呼側の電話主装置から別のプロトコルのメッセージを受信するネットワークインターフェース部と、前記ＩＮＶＩＴＥメッセージに設定された自装置の契約番号を認識し、続いて、前記別のプロトコルのメッセージに設定された着呼先通信端末のサブアドレスを認識する着信先認識部と、前記着信先認識部により認識したサブアドレスの着信先通信端末装置に対して着呼信号を送信する端末インターフェース部と、を備える構成を採る。
【００１８】
この構成によれば、別のプロトコルとして、例えば、Ｔｅｌｎｅｔセッション等の無料で利用可能なプロトコルによりサブアドレスを受信することができ、システムの運用コストを低減することができる。
【００１９】
本発明の第５の態様は、通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、前記着呼側の電話主装置の契約番号と当該装置に属する通信端末装置のサブアドレスとの対応情報を記憶する記憶部と、前記通信端末装置から前記発呼要求とともに着呼先通信端末装置のサブアドレスを受信する端末インターフェース部と、前記端末インターフェース部により受信したサブアドレスに対応する契約番号を前記記憶部から検索し、検索した契約番号と前記サブアドレスをＳＩＰプロトコルを拡張した呼接続要求コマンドに設定する番号編集部と、前記ＩＰネットワークを介して前記呼接続要求コマンドを前記着呼側の電話主装置に送信するネットワークインターフェース部と、を備える構成を採る。
【００２０】
この構成によれば、ユーザは、サブアドレスをダイヤル入力するだけで他の通信システム内の通信端末装置への呼接続処理を開始させることができ、着呼側の契約番号を入力する手間を省略することができる。
【００２１】
本発明の第６の態様は、第５の態様の電話主装置において、前記番号編集部は、検索した前記契約番号と前記サブアドレスをＩＮＶＩＴＥメッセージに設定し、前記ネットワークインターフェース部は、前記ＩＰネットワークを介して前記ＩＮＶＩＴＥメッセージを前記着呼側の電話主装置に送信する構成を採る。
【００２２】
この構成によれば、ユーザは、サブアドレスをダイヤル入力するだけで他の通信システム内の通信端末装置への呼接続処理を開始させることができ、着呼側の契約番号を入力する手間を省略することができる。
【００２３】
本発明の第７の態様は、通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置であって、前記着呼側の電話主装置の契約番号と当該装置に属する通信端末装置のサブアドレスとの対応情報を記憶する記憶部と、前記通信端末装置から前記発呼要求とともに着呼先通信端末装置のサブアドレスを受信する端末インターフェース部と、前記端末インターフェース部により受信したサブアドレスに対応する契約番号を前記記憶部から検索し、検索した契約番号をＳＩＰプロトコルのＩＮＶＩＴＥメッセージに設定し、前記サブアドレスを別のプロトコルのメッセージに設定する番号編集部と、前記ＩＰネットワークを介して前記ＩＮＶＩＴＥメッセージを前記着呼側の電話主装置に送信し、続いて、前記別のプロトコルのメッセージを前記着呼側の電話主装置に送信するネットワークインターフェース部と、を備える構成を採る。
【００２４】
この構成によれば、先頭番号だけを利用する場合よりもサブアドレスと契約番号の対応付けを多様にすることができ、通信システムのシステムとしての柔軟性を向上することができる。
【００２５】
本発明の第８の態様は、第５または第７の態様の電話主装置において、前記記憶部は、前記契約番号と前記サブアドレスの先頭番号との対応情報を記憶し、前記番号編集部は、前記端末インターフェース部により受信したサブアドレスの先頭番号に対応する契約番号を前記記憶部から検索する構成を採る。
【００２６】
この構成によれば、サブアドレスと契約番号の対応付けを発呼側通信端末装置別に適用することが可能となり、通信システムのシステムとしての柔軟性を更に向上することができる。
【００２７】
本発明の第９の態様は、第５または第７の態様の電話主装置において、前記記憶部は、前記契約番号と前記サブアドレスと当該サブアドレスの先頭から指定桁数までの番号との対応情報を記憶し、前記番号編集部は、前記端末インターフェース部により受信したサブアドレスの前記先頭から指定桁数までの番号に対応する契約番号を前記記憶部から検索する構成を採る。
【００２８】
この構成によれば、サブアドレスと契約番号の対応付けを発呼側通信端末装置別に適用することが可能となり、通信システムのシステムとしての柔軟性を更に向上することができる。
【００２９】
本発明の第１０の態様は、第５または第７の態様の電話主装置において、前記記憶部は、前記通信システム内の発呼側通信端末装置毎に前記契約番号と前記サブアドレスの先頭番号との対応情報をテーブルとして記憶し、前記番号編集部は、前記端末インターフェース部により前記サブアドレスを受信した発呼側通信端末装置が属するテーブルから当該サブアドレスの先頭番号に対応する契約番号を検索する構成を採る。
【００３０】
この構成によれば、ユーザは、サブアドレスをダイヤル入力するだけで他の通信システム内の通信端末装置への呼接続処理を開始させることができ、着呼側の契約番号を入力する手間を省略することができる。
【００３１】
本発明の第１１の態様は、第５または第７の態様の電話主装置において、前記記憶部は、前記通信システム内の発呼側通信端末装置毎に前記契約番号と前記サブアドレスの先頭から指定桁数までの番号との対応情報をテーブルとして記憶し、前記番号編集部は、前記端末インターフェース部により前記サブアドレスを受信した発呼側通信端末装置が属するテーブルから当該サブアドレスの前記先頭から指定桁数までの番号に対応する契約番号を検索する構成を採る。
【００３２】
この構成によれば、システムの運用コストを低減することができるとともに、ユーザは、契約番号を入力する手間も省略することができる。その結果、運用コストの低減と操作性の向上を共に実現する通信システムを実現することができる。
【００３３】
本発明の第１２の態様は、通信システム内に設置され、当該通信システム内に設置された通信端末装置から受信する発呼要求に応じて、ＩＰネットワークを介して他の通信システム内に設置された着呼側の電話主装置に対して呼接続要求を発信する電話主装置の呼接続方法であって、前記通信端末装置から前記発呼要求とともに着呼先通信端末装置のサブアドレスを受信するステップと、前記受信したサブアドレスに対応する契約番号を記憶部から検索し、検索した契約番号と前記サブアドレスをＳＩＰプロトコルを拡張した呼接続要求コマンドに設定するステップと、前記ＩＰネットワークを介して前記呼接続要求コマンドを前記着呼側の電話主装置に送信するステップと、を備える構成を採る。
【００３４】
この方法によれば、契約番号は主装置に設定するだけでよくなり、通信端末装置には契約番号を設定する必要がなくなるため、通信システムの運用コストを低減することができる。
【００３５】
本発明の第１３の態様は、通信システム内に設置され、ＩＰネットワークを介して他の通信システム内に設置された発呼側の電話主装置から呼接続要求コマンドを受信して、前記通信システム内に設置された通信端末装置に対して着呼処理を実行する電話主装置の呼接続方法であって、前記ＩＰネットワークを介して前記発呼側の電話主装置からＳＩＰプロトコルを拡張した呼接続要求コマンドを受信するステップと、前記呼接続要求コマンドに設定された自装置の契約番号と着呼先通信端末のサブアドレスを認識するステップと、前記着信先認識部により認識したサブアドレスの着信先通信端末装置に対して着呼信号を送信するステップと、を備える構成を採る。
【００３６】
この方法によれば、契約番号は主装置に設定するだけでよくなり、通信端末装置には契約番号を設定する必要がなくなるため、通信システムの運用コストを低減することができる。
【００３７】
以下、本発明の実施の形態について図面を参照して詳細に説明する。
【００３８】
（実施の形態１）
図１は本実施の形態のＩＰ電話システムの全体構成を示す図である。図１において、ＩＰ電話システム１００は、電話機Ａ１，Ａ２を接続したビジネスホン主装置ＭＡを設置した拠点Ａと、電話機Ｂ１，Ｂ２を接続したビジネスホン主装置ＭＢを設置した拠点Ｂが、モデムＭ１，Ｍ２を介してＩＰ網Ｎに接続されている。図１において、ビジネスホン主装置ＭＡには、契約番号「０５０−１２３−１０００」が設定され、ビジネスホン主装置ＭＢには、契約番号「０５０−４５６−２０００」が設定されているものとする。また、電話機Ａ１及びＡ２には、内線番号「１０」及び「１１」が設定され、電話機Ｂ１及びＢ２には、内線番号「２０」及び「２１」が設定されているものとする。
【００３９】
本実施の形態のビジネスホン主装置ＭＡは、配下の電話機Ａ１，Ａ２からの発呼要求に応じて、自装置に設定された契約番号と電話機Ａ１，Ａ２に設定された内線番号をサブアドレスとして呼接続要求コマンドに設定する機能を備える。この機能は、他システムである拠点Ｂのビジネスホン主装置ＭＢも同様である。
【００４０】
また、本実施の形態のビジネスホン主装置ＭＡは、他システムである拠点Ｂのビジネスホン主装置ＭＢから上記のような呼接続要求コマンドを受信した場合は、その呼接続要求コマンド内に含まれる着信番号から契約番号とサブアドレスとを区別して判別し、サブアドレスに対応する内線番号の電話機に着信させる機能を備える。この機能は、他システムである拠点Ｂのビジネスホン主装置ＭＢも同様である。
【００４１】
次に、ビジネスホン主装置ＭＡの構成について図２及び図３を参照して説明する。なお、ビジネスホン主装置ＭＢも同様の構成を有する。
【００４２】
図２は、ビジネスホン主装置ＭＡが有する機能を説明するためのブロック図である。図２において、Ｉ／Ｆ部２０１、ＴＣＰ／ＩＰ（Transmission Control Protocol/Internet Protocol）部２０２、ＳＩＰ（Session Initiation Protocol）／独自プロトコル部２０３及び呼制御部２０４から構成される。
【００４３】
Ｉ／Ｆ部２０１は、端末制御Ｉ／Ｆ部２０１ａとネットワークＩ／Ｆ部２０１ｂから構成される。端末制御Ｉ／Ｆ部２０１ａは、宅内配線（図示せず）等を介して拠点Ａ内の電話機Ａ１，Ａ２と接続され、電話機Ａ１，Ａ２との間で発着信制御及び通話に関する信号の送受信を制御する。ネットワークＩ／Ｆ部２０１ｂは、ＩＰ網Ｎと接続され、ＩＰ網Ｎを介して拠点Ｂ内のビジネスホン主装置ＭＢとの間で発着信制御及び通話に関する信号の送受信を制御する。
【００４４】
ＴＣＰ／ＩＰ部２０２は、ＴＣＰ／ＩＰプロトコルを実行する機能を有し、ＩＰ網Ｎを介して拠点Ｂ内のビジネスホン主装置ＭＢとの間でＩＰ電話サービスに関するコマンドやＩＰパケット等を送受信する。
【００４５】
ＳＩＰ／独自プロトコル部２０３は、ＳＩＰプロトコル及び独自プロトコル（例えば、Telnetを利用）を実行する機能を有し、ＩＰ網Ｎを介して拠点Ｂ内のビジネスホン主装置ＭＢとの間で呼接続に関するＳＩＰコマンドや独自コマンド等を送受信する。
【００４６】
呼制御部２０４は、発信端末／発信番号検出部２０４ａ、発信番号チェック・編集部２０４ｂ、発信先番号パターン記憶部２０４ｃ、発信先番号パターン設定部２０４ｄ、発信番号通知部２０４ｅ、着信番号受信部２０４ｆ、着信番号チェック・着信先判断部２０４ｇ、着信先番号パターン記憶部２０４ｈ、着信先番号パターン設定部２０４ｉ及び着信指示部２０４ｊから構成される。
【００４７】
発信端末／発信番号検出部２０４ａは、電話機Ａ１又はＡ２から端末制御Ｉ／Ｆ部２０１ａを介して受信する発信先端末の発信端末と発信番号を検出して発信番号チェック・編集部２０４ｂに出力する。
【００４８】
発信番号チェック・編集部２０４ｂは、発信端末／発信番号検出部２０４ａから入力される発信端末と発信番号を確認して発信先番号パターン記憶部２０４ｃに通知した後、発信先番号パターン記憶部２０４ｃから渡される発信先端末が属する発信先システムの契約番号を、発信番号とともに編集して発信番号通知部２０４ｅに出力する。
【００４９】
発信先番号パターン記憶部２０４ｃは、発信先番号パターン設定部２０４ｄにより予め設定された発信先システムである拠点Ｂのビジネスホン主装置ＭＢの契約番号と、その配下の電話機Ｂ１，Ｂ２の内線番号が対応付けて設定されたテーブルを記憶している。発信先番号パターン記憶部２０４ｃは、発信番号チェック・編集部２０４ｂから入力される発信先端末と発信番号に基づいてテーブルから該当する発信先システムの契約番号を読み出して発信番号チェック・編集部２０４ｂに通知する。
【００５０】
発信先番号パターン設定部２０４ｄは、発信先番号パターン記憶部２０４ｃが記憶する上記テーブルに対して発信先システムである拠点Ｂのビジネスホン主装置ＭＢの契約番号と、その配下の電話機Ｂ１，Ｂ２の内線番号を対応付けて設定する。なお、発信先番号パターン設定部２０４ｄの操作は、システム管理者等が必要に応じて行うものとする。
【００５１】
発信番号通知部２０４ｅは、発信番号チェック・編集部２０４ｂから入力される編集された発信番号と契約番号をＳＩＰ／独自プロトコル部２０３に通知して、ＳＩＰプロトコル又は独自プロトコルに対応したコマンドにより発呼させる。
【００５２】
着信番号受信部２０４ｆは、ネットワークＩ／Ｆ部２０１ｂ、ＴＣＰ／ＩＰ部２０２及びＳＩＰ／独自プロトコル部２０３を介してＩＰ網Ｎから受信する着信番号を受信して着信番号チェック・着信先判断部２０４ｇに出力する。
【００５３】
着信番号チェック・着信先判断部２０４ｇは、着信番号受信部２０４ｆから入力される着信番号をチェックして着信先端末を判断して着信先番号パターン記憶部２０４ｈに通知した後、着信先番号パターン記憶部２０４ｈから渡される着信先端末の内線番号を着信指示部２０４ｊに出力する。
【００５４】
着信先番号パターン記憶部２０４ｈは、着信先番号パターン設定部２０４ｉにより予め設定された着信先システムである拠点Ａのビジネスホン主装置ＭＡの契約番号と、その配下の電話機Ａ１，Ａ２の内線番号が対応付けて設定されたテーブルを記憶している。着信先番号パターン記憶部２０４ｈは、着信番号チェック・着信先判断部２０４ｇから入力される着信先端末と着信番号に基づいてテーブルから該当する着信先システムの内線番号を読み出して着信番号チェック・着信先判断部２０４ｇに通知する。
【００５５】
着信先番号パターン設定部２０４ｉは、着信先番号パターン記憶部２０４ｈが記憶する上記テーブルに対して着信先システムである拠点Ａのビジネスホン主装置ＭＡの契約番号と、その配下の電話機Ａ１，Ａ２の内線番号を対応付けて設定する。なお、着信先番号パターン設定部２０４ｉの操作は、システム管理者等が必要に応じて行うものとする。
【００５６】
着信指示部２０４ｊは、着信番号チェック・着信先判断部２０４ｇから入力される着信先の内線番号に基づいて端末制御Ｉ／Ｆ部２０１ａに対して該当する電話機Ａ１，Ａ２への着信制御を指示する。
【００５７】
図３は、図２に示したビジネスホン主装置ＭＡの機能構成を実際のハードウェアに適用した場合の構成を示す図である。図３において、ビジネスホン主装置ＭＡは、端末制御Ｉ／Ｆ部３０１、時分割スイッチ３０２、符号化／復号化部３０３、ネットワークＩ／Ｆ部３０４、ＣＰＵ３０５及びメモリ３０６から構成される。
【００５８】
端末制御Ｉ／Ｆ部３０１は、上記端末制御Ｉ／Ｆ部２０１ａと同様の機能を有する。端末制御Ｉ／Ｆ部３０１は、電話機Ａ１から送話音声信号を受信して時分割スイッチ３０２に出力し、時分割スイッチ３０２から入力される受話音声信号を電話機Ａ１に送出する。また、端末制御Ｉ／Ｆ部３０１は、電話機Ａ１から発着信制御に関する制御信号を受信してＣＰＵ３０５に出力する。
【００５９】
時分割スイッチ３０２は、端末制御Ｉ／Ｆ部３０１から入力される送話音声信号と、符号化／復号化部３０３から入力される受話音声信号を時分割処理する機能を有し、送話音声信号を符号化／復号化部３０３に出力し、受話音声信号を端末制御Ｉ／Ｆ部３０１に出力する。
【００６０】
符号化／復号化部３０３は、時分割スイッチ３０２から入力される送話音声信号を符号化処理してネットワークＩ／Ｆ部３０４に出力し、ネットワークＩ／Ｆ部３０４から入力される符号化された受話音声データを復号化して受話音声信号として時分割スイッチ３０２に出力する。
【００６１】
ネットワークＩ／Ｆ部３０４は、上記ネットワークＩ／Ｆ部２０１ｂと同様の機能を有する。ネットワークＩ／Ｆ部３０４は、符号化／復号化部３０３から入力される符号化された送話音声データをＩＰ網Ｎに送信するとともに、ＩＰ網Ｎから受信する受話音声データを符号化／復号化部３０３に出力する。また、ネットワークＩ／Ｆ部３０４は、ＩＰ網Ｎから受信する発着信制御に関する制御信号をＣＰＵ３０５に出力する。
【００６２】
ＣＰＵ（Central Processing Unit ）３０５は、メモリ３０６に記憶された制御プログラムに基づいて端末制御Ｉ／Ｆ部３０１、時分割スイッチ３０２及びネットワークＩ／Ｆ部３０４の各動作を制御する。また、ＣＰＵ３０５は、メモリ３０６に記憶されたＴＣＰ／ＩＰプログラム、ＳＩＰプログラム及び呼制御プログラムに基づいて、上記ＴＣＰ／ＩＰ部２０２、ＳＩＰ／独自プロトコル部２０３及び呼制御部２０４内の各部２０４ａ〜２０４ｊと同様の処理を実行する。
【００６３】
メモリ３０６は、上記ＣＰＵ３０５が実行する各種プログラムや上記発信先番号パターン記憶部２０４ｃ及び着信先番号パターン記憶部２０４ｈに記憶される各テーブルと同様の各テーブルを記憶する。
【００６４】
次に、図１のＩＰ電話システム１００において、拠点Ａの電話機Ａ１から拠点Ｂの電話機Ｂ１に呼接続する場合の動作について、図４に示すシーケンス図及び図５に示す「ＩＮＶＩＴＥ」メッセージの設定例を参照して説明する。
【００６５】
なお、本動作では、ビジネスホン主装置ＭＡとビジネスホン主装置ＭＢとの間の呼接続処理をＳＩＰプロトコルにより行う場合を例示する。
【００６６】
図４において、まず、拠点Ａの電話機Ａ１において、拠点Ｂのビジネスホン主装置ＭＢの契約電話番号「０５０−４５６−２０００」と発信先電話機Ｂ１の内線番号「２０」が図中に示すように「０５０−４５６−２０００＊２０」としてダイヤル入力され、発呼指示が入力されると、電話機Ａ１からビジネスホン主装置ＭＡに対してダイヤル情報「０５０−４５６−２０００＊２０」が送出される（ステップＳ４０１）。なお、「＊」は、以降の番号をサブアドレスとして認識するためのダイヤルである。但し、このダイヤル「＊」に限るものではなく、ビジネスホン主装置ＭＡ及びＭＢの双方で識別可能なものであれば、他の任意のダイヤルを使用しても良い。
【００６７】
ビジネスホン主装置ＭＡ内のＣＰＵ３０５は、端末制御Ｉ／Ｆ部３０１を介して電話機Ａ１から受信したダイヤル情報「０５０−４５６−２０００＊２０」が入力されると、その発信先の契約番号「０５０−４５６−２０００」と内線番号「２０」を検出及びチェックして、発信先となる拠点Ｂのビジネスホン主装置ＭＢ及び電話機Ｂ１を確認する。そして、ビジネスホン主装置ＭＡ内のＣＰＵ３０５は、ＳＩＰプロトコルの「ＩＮＶＩＴＥ」メッセージにダイヤル情報「０５０−４５６−２０００＊２０」を設定してネットワークＩ／Ｆ部３０４からＩＰ網Ｎを介して拠点Ｂのビジネスホン主装置ＭＢに送出する（ステップＳ４０２）。なお、送信される「ＩＮＶＩＴＥ」メッセージには、発信元のビジネスホン主装置ＭＡと電話機Ａ１の内線番号も含まれる。
【００６８】
ここで、ビジネスホン主装置ＭＡにおいて編集される「ＩＮＶＩＴＥ」メッセージの具体例を図５に示す。この「ＩＮＶＩＴＥ」メッセージ５００には、「To:<sip:0504562000@10.3.2.83;user=phone>が着信先のビジネスホン主装置ＭＢの番号を示し、「From:<sip:0501231000@10.2.3.84>;tag=1275812707」が発信元のビジネスホン主装置ＭＡの番号を示している。また、「User-Agent:NPOS V2.0.0-FROM10 TO20」により、発信元電話機Ａ１の内線番号「１０」と、着信先電話機Ｂ１の内線番号「２０」を示すサブアドレス情報を設定している。
【００６９】
次に、ビジネスホン主装置ＭＢは、ＩＰ網Ｎ及びネットワークＩ／Ｆ部３０４を介してビジネスホン主装置ＭＡから送信された「ＩＮＶＩＴＥ」メッセージ５００を受信すると、ＣＰＵ３０５は図５に示した着信先のサブアドレス情報「２０」を判断する（ステップＳ４０３）。そして、ビジネスホン主装置ＭＢのＣＰＵ３０５は、着信信号を端末制御Ｉ／Ｆ部３０１から着信先の電話機Ｂ１に送出する（ステップＳ４０４）。電話機Ｂ１は、ビジネスホン主装置ＭＢから受信した着信信号により着信鳴動して、着信をユーザに知らせる。
【００７０】
また、ＣＰＵ３０５は、図５に示した「ＩＮＶＩＴＥ」メッセージ５００から発信元電話機Ａ１の内線番号「１０」も知ることができる。この発信元電話機Ａ１の内線番号「１０」を上記のステップＳ４０３で判断し、上記のステップＳ４０４で発信元電話機Ａ１の内線番号「１０」を端末制御Ｉ／Ｆ部３０１から着信先の電話機Ｂ１に通知し、電話機Ｂ１は通知された発信元電話機の内線番号を表示しながら着信鳴動することにより、どの電話機からの着信であるかをユーザに知らせるようにしても良い。
【００７１】
次に、ビジネスホン主装置ＭＢのＣＰＵ３０５は、端末制御Ｉ／Ｆ部３０１から「１８０  ＲＩＮＧＩＮＧ」メッセージをネットワークＩ／Ｆ部３０４からＩＰ網Ｎを介してビジネスホン主装置ＭＡに送出する（ステップＳ４０５）。ビジネスホン主装置ＭＡのＣＰＵ３０５は、ネットワークＩ／Ｆ部３０４から「１８０  ＲＩＮＧＩＮＧ」メッセージを受信すると、リングバックトーン信号を電話機Ａ１に送出する（ステップＳ４０６）。
【００７２】
その後、着信鳴動により、ユーザが電話機Ｂ１のハンドセット（図示せず）をオフフック操作すると、ビジネスホン主装置ＭＡとビジネスホン主装置ＭＢとの間でＳＩＰプロトコルに基づくコマンド（図示せず）が送受信されて、電話機Ａ１と電話機Ｂ１の間の呼接続が完了する。
【００７３】
以上の図４のＳＩＰプロトコルに基づく動作により、拠点Ａの電話機Ａ１から拠点Ｂの電話機Ｂ１に対する呼接続処理が終了する。
【００７４】
以上のように、本実施の形態１のＩＰ電話システム１００では、拠点Ａ及びＢにおいて各ビジネスホン主装置ＭＡ及びＭＢのみに契約番号を設定し、その配下の各電話機Ａ１，Ａ２及びＢ１，Ｂ２には内線番号のみを設定するようにした。そして、ビジネスホン主装置ＭＡ及びＭＢは、発信時に、電話機Ａ１，Ａ２及びＢ１，Ｂ２からダイヤル入力される着信先番号から契約番号とサブアドレス情報（内線番号）を判断して、上記のようにＳＩＰプロトコルの「ＩＮＶＩＴＥ」メッセージを編集して着信先に送信するようにした。
【００７５】
また、ビジネスホン主装置ＭＡ及びＭＢは、着信時に、「ＩＮＶＩＴＥ」メッセージに含まれる着信先のサブアドレス情報（内線番号）を判断して配下の電話機Ａ１，Ａ２及びＢ１，Ｂ２への着信処理を実行するようにした。
【００７６】
したがって、ＩＰ電話システム１００に含まれる拠点Ａ及びＢにおいて、ビジネスホン主装置ＭＡ及びＭＢがＳＩＰプロトコルに対応するサブアドレス情報を処理する機能を備えたため、契約番号はビジネスホン主装置ＭＡ及びＭＢに設定するだけでよくなり、電話機Ａ１，Ａ２及びＢ１，Ｂ２には契約番号を設定する必要がなくなる。その結果、ＩＰ電話システム１００の運用コストを低減することができる。
【００７７】
（実施の形態２）
実施の形態１では、ＳＩＰプロトコルの「ＩＮＶＩＴＥ」メッセージを利用してサブアドレスへの呼接続処理を行う場合を示したが、本実施の形態２では、サブアドレスを独自プロトコルを利用してサブアドレスへの呼接続処理を行う場合を説明する。
【００７８】
なお、本実施の形態２のＩＰ電話システムは、図１に示したものと同様の構成であり、ビジネスホン主装置の構成も図２及び図３に示したものと同様であるため、その図示及び構成説明は省略する。
【００７９】
本実施の形態２のＩＰ電話システム１００において、拠点Ａの電話機Ａ１から拠点Ｂの電話機Ｂ１に呼接続する場合の動作について、図１及び図３の各構成と、図６に示すシーケンス図と、図７に示す「ＩＮＶＩＴＥ」メッセージの設定例を参照して説明する。
【００８０】
図６において、まず、拠点Ａの電話機Ａ１において、拠点Ｂのビジネスホン主装置ＭＢの契約電話番号「０５０−４５６−２０００」と発信先電話機Ｂ１の内線番号「２０」が図中に示すように「０５０−４５６−２０００＊２０」としてダイヤル入力され、発呼指示が入力されると、電話機Ａ１からビジネスホン主装置ＭＡに対してダイヤル情報「０５０−４５６−２０００＊２０」が送出される（ステップＳ６０１）。なお、「＊」は、以降の番号をサブアドレスとして認識するためのダイヤルである。但し、このダイヤル「＊」に限るものではなく、ビジネスホン主装置ＭＡ及びＭＢの双方で識別可能なものであれば、他の任意のダイヤルを使用しても良い。
【００８１】
ビジネスホン主装置ＭＡ内のＣＰＵ３０５は、端末制御Ｉ／Ｆ部３０１を介して電話機Ａ１から受信したダイヤル情報「０５０−４５６−２０００＊２０」が入力されると、その発信先の契約番号「０５０−４５６−２０００」と内線番号「２０」を検出及びチェックして、発信先となる拠点Ｂのビジネスホン主装置ＭＢ及び電話機Ｂ１を確認する。そして、ビジネスホン主装置ＭＡ内のＣＰＵ３０５は、ＳＩＰプロトコルの「ＩＮＶＩＴＥ」メッセージにビジネスホン主装置ＭＢのダイヤル情報「０５０−４５６−２０００」だけを設定してネットワークＩ／Ｆ部３０４からＩＰ網Ｎを介して拠点Ｂのビジネスホン主装置ＭＢに送出する（ステップＳ６０２）。なお、送信される「ＩＮＶＩＴＥ」メッセージには、発信元のビジネスホン主装置ＭＡの番号も含まれる。
【００８２】
ここで、ビジネスホン主装置ＭＡにおいて編集される「ＩＮＶＩＴＥ」メッセージの具体例を図７に示す。この「ＩＮＶＩＴＥ」メッセージ７００には、上記図５と同様に、着信先のビジネスホン主装置ＭＢの番号と、発信元のビジネスホン主装置ＭＡの番号を設定しているが、着信先及び発信元の各内線番号を示すサブアドレス情報を設定する「User-Agent: 」は含まれていない。
【００８３】
次に、ビジネスホン主装置ＭＡ内のＣＰＵ３０５は、ＳＩＰ以外の独自プロトコル（例えば、Ｔｅｌｎｅｔセッション等）を利用してサブアドレス情報「２０」をネットワークＩ／Ｆ部３０４からＩＰ網Ｎを介して拠点Ｂのビジネスホン主装置ＭＢに送出する（ステップＳ６０３）。この場合、ＳＩＰプロトコルに続いて独自プロトコルを実行するため、例えば、Ｔｅｌｎｅｔで規定されている標準コマンド以外の非標準コマンドを利用するものとする。
【００８４】
次に、ビジネスホン主装置ＭＢは、ＩＰ網Ｎ及びネットワークＩ／Ｆ部３０４を介してビジネスホン主装置ＭＡから送信された「ＩＮＶＩＴＥ」メッセージ７００と独自コマンドを受信すると、ＣＰＵ３０５は独自コマンドのサブアドレス情報「２０」を判断する（ステップＳ６０４）。そして、ビジネスホン主装置ＭＢのＣＰＵ３０５は、着信信号を端末制御Ｉ／Ｆ部３０１から着信先の電話機Ｂ１に送出する（ステップＳ６０５）。電話機Ｂ１は、ビジネスホン主装置ＭＢから受信した着信信号により着信鳴動して、着信をユーザに知らせる。
【００８５】
次に、ビジネスホン主装置ＭＢのＣＰＵ３０５は、端末制御Ｉ／Ｆ部３０１から「１８０  ＲＩＮＧＩＮＧ」メッセージをネットワークＩ／Ｆ部３０４からＩＰ網Ｎを介してビジネスホン主装置ＭＡに送出する（ステップＳ６０６）。ビジネスホン主装置ＭＡのＣＰＵ３０５は、ネットワークＩ／Ｆ部３０４から「１８０  ＲＩＮＧＩＮＧ」メッセージを受信すると、リングバックトーン信号を電話機Ａ１に送出する（ステップＳ６０７）。
【００８６】
その後、着信鳴動により、ユーザが電話機Ｂ１のハンドセット（図示せず）をオフフック操作すると、ビジネスホン主装置ＭＡとビジネスホン主装置ＭＢとの間でＳＩＰプロトコルに基づくコマンド（図示せず）が送受信されて、電話機Ａ１と電話機Ｂ１の間の呼接続が完了する。
【００８７】
以上の図６のＳＩＰプロトコル及び独自プロトコルの動作により、拠点Ａの電話機Ａ１から拠点Ｂの電話機Ｂ１に対する呼接続処理が終了する。
【００８８】
以上のように、本実施の形態２のＩＰ電話システム１００では、各ビジネスホン主装置ＭＡ及びＭＢがサブアドレス情報をＩＰ網Ｎを介した独自プロトコルにより送受信する機能を備えたため、Ｔｅｌｎｅｔセッション等の無料で利用可能なプロトコルによりサブアドレス情報を送信することができ、システムの運用コストを低減することができる。
【００８９】
なお、本実施の形態２のＩＰ電話システムでは、ＩＰ網Ｎ上での利用を想定しているため、ビジネスホン主装置ＭＡ及びＭＢが互いにグローバルＩＰアドレス又はダイナミックＤＮＳ契約の基に、各主装置起動時にＴｅｌｎｅｔセッションを張り、当該Ｔｅｌｎｅｔセッションは常時接続しておくことにより、独自コマンドにてサブアドレス情報を通知することが可能になる。
【００９０】
このように、独自プロトコルによるセッションの常時接続を維持することにより、ＳＩＰプロトコルによるＩＮＶＩＴＥメソッド到達の時間差を短くすることも可能になる。
【００９１】
（実施の形態３）
上記実施の形態１，２では、ＳＩＰプロトコル又は独自プロトコルによるセッションを利用してサブアドレスへの呼接続処理を行う場合を示した。しかし、これら各実施の形態では、発信元のユーザは、主装置の契約番号とサブアドレスを認識させるダイヤルに続いて、サブアドレス情報をダイヤル入力する必要があったため、入力操作が煩雑である。
【００９２】
そこで、本実施の形態３では、サブアドレス情報をダイヤル入力するだけで、主装置がサブアドレスの着信先に呼接続処理する場合について説明する。
【００９３】
なお、本実施の形態３のＩＰ電話システムは、図１に示したものと同様の構成であり、ビジネスホン主装置の構成も図２及び図３に示したものと同様であるため、その図示及び構成説明は省略する。
【００９４】
本実施の形態３のビジネスホン主装置ＭＡ及びＭＢは、電話機Ａ１，Ａ２又は電話機Ｂ１，Ｂ２からダイヤル入力されたサブアドレスと発信先の主装置の番号とを対応付けて設定したテーブルが、図２に示した発信先番号パターン記憶部２０４ｃ（図３のメモリ３０６）に予め記憶されているものとする。このテーブルの具体例を図８に示す。
【００９５】
図８に示すテーブル８００の例では、サブアドレスの「先頭番号」と発信先主装置（着呼側主装置）のシステム番号を示す「発信先システム番号設定」、すなわち、上記契約番号が、対応付けて設定されている。
【００９６】
ビジネスホン主装置ＭＡ及びＭＢは、テーブル８００を利用することにより、電話機Ａ１，Ａ２又は電話機Ｂ１，Ｂ２からダイヤル入力されるサブアドレスの先頭番号に対応する発信先システム番号を判断し、そのシステム番号（契約番号）とサブアドレスを含む呼接続要求コマンドを編集することが可能になる。
【００９７】
本実施の形態３のＩＰ電話システム１００において、拠点Ａの電話機Ａ１から拠点Ｂの電話機Ｂ１に呼接続する場合の動作について、図１及び図３の各構成と、図９に示すシーケンス図を参照して説明する。
【００９８】
図９において、まず、拠点Ａの電話機Ａ１において、発信先電話機Ｂ１の内線番号「２０」がダイヤル入力され、発呼指示が入力されると、電話機Ａ１からビジネスホン主装置ＭＡに対してダイヤル情報「２０」が送出される（ステップＳ９０１）。
【００９９】
ビジネスホン主装置ＭＡ内のＣＰＵ３０５は、端末制御Ｉ／Ｆ部３０１を介して電話機Ａ１から受信したダイヤル情報「２０」が入力されると、メモリ３０６に記憶したテーブル８００を参照して、その先頭番号「２」に対応する発信先システム番号「０５０−４５６−２０００」から発信先システムを判断し（ステップＳ９０２）、発信先システム番号「０５０−４５６−２０００」とサブアドレス「２０」を「ＩＮＶＩＴＥ」メッセージに編集する。
【０１００】
そして、ビジネスホン主装置ＭＡ内のＣＰＵ３０５は、編集した「ＩＮＶＩＴＥ」メッセージをネットワークＩ／Ｆ部３０４からＩＰ網Ｎを介して拠点Ｂのビジネスホン主装置ＭＢに送出する（ステップＳ９０３）。なお、送信される「ＩＮＶＩＴＥ」メッセージには、発信元のビジネスホン主装置ＭＡのシステム番号と電話機Ａ１のサブアドレスも含まれる。その「ＩＮＶＩＴＥ」メッセージの編集内容は、図５に示した「ＩＮＶＩＴＥ」メッセージと同様である。
【０１０１】
以後の図９における動作（ステップＳ９０４〜Ｓ９０７）は、上記図４の動作（ステップＳ４０３〜Ｓ４０６）と同様であるため、説明は省略する。
【０１０２】
以上のように、本実施の形態３のＩＰ電話システム１００では、各ビジネスホン主装置ＭＡ及びＭＢが発信先のサブアドレス情報の先頭番号と発信先システム番号とを対応付けて設定したテーブル８００を予め記憶し、発信元の電話機Ａ１，Ａ２又はＢ１，Ｂ２からダイヤル入力されるサブアドレスの先頭番号から対応する発信先システム番号をテーブル８００から判断して、呼接続要求コマンドを編集する機能を備えた。
【０１０３】
したがって、ユーザは、サブアドレスをダイヤル入力するだけで他の通信システム内の電話機への呼接続処理を開始させることができ、発信先システムの契約番号を入力する手間を省略することができる。
【０１０４】
なお、本実施の形態３では、図８のテーブル８００を適用した場合を示したが、その設定内容としては、例えば、図１０に示すようなテーブル１０００であっても良い。
【０１０５】
図１０に示すテーブル１０００の例では、サブアドレスの「指定桁数」と、「先頭から指定桁数までの番号設定」と、「発信先システム番号設定」とを対応付けて設定したものである。このテーブル１０００を利用することにより、ダイヤル入力されたサブアドレス情報の先頭から指定桁までの番号毎に発信先システム番号を自動付加する設定が可能になる。なお、指定桁数は、サブアドレス情報の構成（２桁以上でもよい）に応じて設定変更可能である。
【０１０６】
したがって、先頭番号だけを利用する場合よりもサブアドレス情報とシステム番号設定の対応付けを多様にすることができ、ＩＰ電話システムのシステムとしての柔軟性を向上することができる。
【０１０７】
また、サブアドレス情報とシステム番号設定を対応付けるテーブルは、図１１及び図１２に示すようなものでも良い。
【０１０８】
図１１に示すテーブル１１００は、図８のテーブル８００がｎ面ある構成の場合を示している。また、図１２に示すテーブル１２００は、図１０のテーブル１０００がｎ面ある構成の場合を示している。発信側の電話機が属するテーブルをｎ面の中から選択し、その面において発信システム番号が選択される。
【０１０９】
これらのテーブル１１００，１２００を利用することにより、ダイヤル入力された発信端末の属するテーブルがｎ面から選択され、その面において、ダイヤル入力されたサブアドレス情報の先頭番号毎、又は、先頭から指定桁までの番号毎に発信先システム番号設定で設定されている番号で発信される。
【０１１０】
したがって、サブアドレス情報とシステム番号設定の対応付けを発信端末別に適用することが可能となり、ＩＰ電話システムのシステムとしての柔軟性を更に向上することができる。
【０１１１】
（実施の形態４）
上記実施の形態３では、サブアドレス情報をダイヤル入力するだけで、主装置がサブアドレスの着信先に呼接続処理する場合を示したが、本実施の形態４では、主装置が更にサブアドレスを独自プロトコルを利用してサブアドレスへの呼接続処理を行う場合を説明する。
【０１１２】
なお、本実施の形態４のＩＰ電話システムは、図１に示したものと同様の構成であり、ビジネスホン主装置の構成も図２及び図３に示したものと同様であるため、その図示及び構成説明は省略する。
【０１１３】
本実施の形態４のビジネスホン主装置ＭＡ及びＭＢは、電話機Ａ１，Ａ２又は電話機Ｂ１，Ｂ２からダイヤル入力されたサブアドレスと発信先の主装置の番号とを対応付けて設定した上記図８のテーブルが、図２に示した発信先番号パターン記憶部２０４ｃ（図３のメモリ３０６）に予め記憶されているものとする。
【０１１４】
本実施の形態４のＩＰ電話システム１００において、拠点Ａの電話機Ａ１から拠点Ｂの電話機Ｂ１に呼接続する場合の動作について、図１及び図３の各構成と、図１３に示すシーケンス図を参照して説明する。
【０１１５】
図１３において、まず、拠点Ａの電話機Ａ１において、発信先電話機Ｂ１の内線番号「２０」がダイヤル入力され、発呼指示が入力されると、電話機Ａ１からビジネスホン主装置ＭＡに対してダイヤル情報「２０」が送出される（ステップＳ１３０１）。
【０１１６】
ビジネスホン主装置ＭＡ内のＣＰＵ３０５は、端末制御Ｉ／Ｆ部３０１を介して電話機Ａ１から受信したダイヤル情報「２０」が入力されると、メモリ３０６に記憶したテーブル８００を参照して、その先頭番号「２」に対応する発信先システム番号「０５０−４５６−２０００」から発信先システムを判断する（ステップＳ１３０２）。
【０１１７】
次に、ＣＰＵ３０５は、ＳＩＰプロトコルの「ＩＮＶＩＴＥ」メッセージにビジネスホン主装置ＭＢのダイヤル情報「０５０−４５６−２０００」だけを設定してネットワークＩ／Ｆ部３０４からＩＰ網Ｎを介して拠点Ｂのビジネスホン主装置ＭＢに送出する（ステップＳ１３０３）。なお、送信される「ＩＮＶＩＴＥ」メッセージには、発信元のビジネスホン主装置ＭＡの番号も含まれる。
【０１１８】
ここで、ビジネスホン主装置ＭＡにおいて編集される「ＩＮＶＩＴＥ」メッセージの具体例は上記図７に示したものと同様であり、着信先のビジネスホン主装置ＭＢの番号と、発信元のビジネスホン主装置ＭＡの番号を設定しているが、着信先及び発信元の各内線番号を示すサブアドレス情報を設定する「User-Agent: 」は含まれていない。
【０１１９】
次に、ビジネスホン主装置ＭＡ内のＣＰＵ３０５は、ＳＩＰ以外の独自プロトコル（例えば、Ｔｅｌｎｅｔセッション等）を利用してサブアドレス情報「２０」をネットワークＩ／Ｆ部３０４からＩＰ網Ｎを介して拠点Ｂのビジネスホン主装置ＭＢに送出する（ステップＳ１３０４）。この場合、ＳＩＰプロトコルに続いて独自プロトコルを実行するため、例えば、Ｔｅｌｎｅｔで規定されている標準コマンド以外の非標準コマンドを利用するものとする。
【０１２０】
次に、ビジネスホン主装置ＭＢは、ＩＰ網Ｎ及びネットワークＩ／Ｆ部３０４を介してビジネスホン主装置ＭＡから送信された「ＩＮＶＩＴＥ」メッセージ７００と独自コマンドを受信すると、ＣＰＵ３０５は独自コマンドのサブアドレス情報「２０」を判断する（ステップＳ１３０５）。そして、ビジネスホン主装置ＭＢのＣＰＵ３０５は、着信信号を端末制御Ｉ／Ｆ部３０１から着信先の電話機Ｂ１に送出する（ステップＳ１３０６）。電話機Ｂ１は、ビジネスホン主装置ＭＢから受信した着信信号により着信鳴動して、着信をユーザに知らせる。
【０１２１】
次に、ビジネスホン主装置ＭＢのＣＰＵ３０５は、端末制御Ｉ／Ｆ部３０１から「１８０  ＲＩＮＧＩＮＧ」メッセージをネットワークＩ／Ｆ部３０４からＩＰ網Ｎを介してビジネスホン主装置ＭＡに送出する（ステップＳ１３０７）。ビジネスホン主装置ＭＡのＣＰＵ３０５は、ネットワークＩ／Ｆ部３０４から「１８０  ＲＩＮＧＩＮＧ」メッセージを受信すると、リングバックトーン信号を電話機Ａ１に送出する（ステップＳ１３０８）。
【０１２２】
その後、着信鳴動により、ユーザが電話機Ｂ１のハンドセット（図示せず）をオフフック操作すると、ビジネスホン主装置ＭＡとビジネスホン主装置ＭＢとの間でＳＩＰプロトコルに基づくコマンド（図示せず）が送受信されて、電話機Ａ１と電話機Ｂ１の間の呼接続が完了する。
【０１２３】
以上の図１３のＳＩＰプロトコル及び独自プロトコルの動作により、拠点Ａの電話機Ａ１から拠点Ｂの電話機Ｂ１に対する呼接続処理が終了する。
【０１２４】
以上のように、本実施の形態４のＩＰ電話システム１００では、各ビジネスホン主装置ＭＡ及びＭＢがサブアドレス情報をＩＰ網Ｎを介した独自プロトコルにより送受信する機能と、発信元の電話機Ａ１，Ａ２又はＢ１，Ｂ２からダイヤル入力されるサブアドレスの先頭番号から対応する発信先システム番号をテーブル８００から判断して、呼接続要求コマンドを編集する機能を備えた。
【０１２５】
したがって、Ｔｅｌｎｅｔセッション等の無料で利用可能なプロトコルによりサブアドレス情報を送信することができ、システムの運用コストを低減することができるとともに、ユーザは、サブアドレスをダイヤル入力するだけで他システム内のサブアドレスへの呼接続処理を開始させることができ、発信先システムの契約番号を入力する手間も省略することができる。
【０１２６】
その結果、運用コストの低減と操作性の向上を共に実現するＩＰ電話システムを提供することができる。
【０１２７】
なお、本実施の形態４では、図８のテーブル８００を適用した場合を示したが、上記図１０〜図１２に示したテーブル１０００，１１００，１２００も適用可能である。これら他のテーブル１０００，１１００，１２００を適用することにより、サブアドレス情報とシステム番号設定の対応付けを更に多様にすることができ、ＩＰ電話システムのシステムとしての柔軟性を更に向上することができる。
【０１２８】
また、本実施の形態４のＩＰ電話システムでは、上記実施の形態２と同様に、ＩＰ網Ｎ上での利用を想定しているため、ビジネスホン主装置ＭＡ及びＭＢが互いにグローバルＩＰアドレス又はダイナミックＤＮＳ契約の基に、各主装置起動時にＴｅｌｎｅｔセッションを張り、当該Ｔｅｌｎｅｔセッションは常時接続しておくことにより、独自コマンドにてサブアドレス情報を通知することが可能になる。
【０１２９】
このように、独自プロトコルによるセッションの常時接続を維持することにより、ＳＩＰプロトコルによるＩＮＶＩＴＥメソッド到達の時間差を短くすることも可能になる。
【産業上の利用可能性】
【０１３０】
本発明は、各通信システム内の通信端末装置の内線番号を直接指定するサブアドレス番号体系を適用し、発呼側通信システム及び着呼側通信システムにおいて通信端末装置のサブアドレス番号を認識して呼接続処理を実行するので、発呼側と着呼側の各通信システムにおいて契約番号の設定数を削減してシステムの運用コストを低減することができ、ＩＰ電話システム等の通信システムに適用できる。
【図面の簡単な説明】
【０１３１】
【図１】本発明の実施の形態１に係るＩＰ電話システムの構成を示す図
【図２】本実施の形態１に係るビジネスホン主装置内の機能構成を説明するためのブロック図
【図３】本実施の形態１に係るビジネスホン主装置内の機能構成を実際のハードウェアに適用した場合の構成を示すブロック図
【図４】本実施の形態１に係るＩＰ電話システムの動作を説明するためのシーケンス図
【図５】本実施の形態１に係るＩＮＶＩＴＥメッセージへの契約番号とサブアドレスの設定例を示す図
【図６】本発明の実施の形態２に係るＩＰ電話システムの動作を説明するためのシーケンス図
【図７】本実施の形態２に係るＩＮＶＩＴＥメッセージへの契約番号のみの設定例を示す図
【図８】本発明の実施の形態３に係る契約番号とサブアドレスの先頭番号との対応情報を記憶するテーブルの一例を示す図
【図９】本実施の形態３に係るＩＰ電話システムの動作を説明するためのシーケンス図
【図１０】本発明の実施の形態３に係る契約番号とサブアドレスの指定桁数と先頭から指定桁数までの番号との対応情報を記憶するテーブルの一例を示す図
【図１１】本発明の実施の形態３に係る発信端末が属する契約番号とサブアドレスの先頭番号との対応情報を記憶する複数テーブルの例を示す図
【図１２】本発明の実施の形態３に係る発信端末が属する契約番号とサブアドレスの指定桁数と先頭から指定桁数までの番号との対応情報を記憶する複数テーブルの例を示す図
【図１３】本発明の実施の形態４に係るＩＰ電話システムの動作を説明するためのシーケンス図
【図１４】従来のＩＰ電話システムの構成を示す図
【符号の説明】
【０１３２】
１００  ＩＰ電話システム
２０１  Ｉ／Ｆ部
２０１ａ、３０１  端末制御Ｉ／Ｆ部
２０１ｂ、３０４  ネットワークＩ／Ｆ部
２０２  ＴＣＰ／ＩＰ部
２０３  ＳＩＰ／独自プロトコル部
２０４  呼制御部
２０４ａ  発信端末／発信番号検出部
２０４ｂ  発信番号チェック・編集部
２０４ｃ  発信先番号パターン記憶部
２０４ｄ  発信先番号パターン設定部
２０４ｅ  発信番号通知部
２０４ｆ  着信番号受信部
２０４ｇ  着信番号チェック・着信先判断部
２０４ｈ  着信先番号パターン記憶部
２０４ｉ  着信先番号パターン設定部
２０４ｊ  着信指示部
３０２  時分割スイッチ
３０３  符号化／復号化部
３０５  ＣＰＵ
３０６  メモリ
ＭＡ、ＭＢ  ビジネスホン主装置
Ａ１、Ａ２、Ｂ１、Ｂ２  電話機
Ｎ  ＩＰ網
【図１】
2006270801.tif 000003
【図２】
2006270801.tif 000004
【図３】
2006270801.tif 000005
【図４】
2006270801.tif 000006
【図５】
2006270801.tif 000007
【図６】
2006270801.tif 000008
【図７】
2006270801.tif 000009
【図８】
2006270801.tif 000010
【図９】
2006270801.tif 000011
【図１０】
2006270801.tif 000012
【図１１】
2006270801.tif 000013
【図１２】
2006270801.tif 000014
【図１３】
2006270801.tif 000015
【図１４】
2006270801.tif 000016